(57)【特許請求の範囲】
【請求項１】
情報入力を受け付けるためのインタフェース画面を表示する表示手段と、前記インタフェース画面の表示の切り替えのための操作を受け付ける複数の赤外線スイッチと、を備えるフィールド機器において、
一の赤外線スイッチが操作されてから所定時間以内の所定時刻に他の赤外線スイッチが操作され、かつ前記所定時刻に前記一の赤外線スイッチが操作されていないことを検出する動作解析手段と、
前記動作解析手段による検出結果に基づいて、所定のスライド動作を選択する動作選択手段と、
を備え、
前記動作選択手段は、前記動作解析手段により前記所定時刻に前記一の赤外線スイッチが操作されていないことが検出された場合には、前記所定のスライド動作を選択し、
前記動作解析手段により前記所定時刻に前記一の赤外線スイッチが操作されていることが検出された場合には、前記一の赤外線スイッチおよび前記他の赤外線スイッチが同時に操作されている状態と判断し、前記動作選択手段は前記所定のスライド動作を選択せず、
前記表示手段は、前記動作選択手段により選択された前記スライド動作として、前記インタフェース画面の表示の切り替えを実行することを特徴とするフィールド機器。
【請求項２】
前記表示手段は、前記動作解析手段により選択された前記スライド動作として、スライドする動きを含む表示の切り替えを実行することを特徴とする請求項１に記載のフィールド機器。
【請求項３】
前記複数の赤外線スイッチは、同一直線上に配置されることを特徴とする請求項１又は２に記載のフィールド機器。
【請求項４】
前記一の赤外線スイッチに対する操作が終了した後、前記他の赤外線スイッチが操作されたことが前記動作解析手段により検出された場合に限り、前記動作選択手段は前記スライド動作を選択することを特徴とする請求項１〜３のいずれか１項に記載のフィールド機器。
【請求項５】
情報入力を受け付けるためのインタフェース画面を表示する表示手段と、前記インタフェース画面の表示の切り替えのための操作を受け付ける複数の赤外線スイッチと、を備えるフィールド機器に対する表示制御方法において、
一の赤外線スイッチが操作されてから所定時間以内の所定時刻に他の赤外線スイッチが操作され、かつ前記所定時刻に前記一の赤外線スイッチが操作されていないことを検出する動作解析ステップと、
前記動作解析ステップによる検出結果に基づいて、所定のスライド動作を選択する動作選択ステップと、を備え、
前記動作選択ステップでは、前記動作解析ステップにより前記所定時刻に前記一の赤外線スイッチが操作されていないことが検出された場合には、前記所定のスライド動作を選択し、
前記動作解析ステップにより前記所定時刻に前記一の赤外線スイッチが操作されていることが検出された場合には、前記一の赤外線スイッチおよび前記他の赤外線スイッチが同時に操作されている状態と判断し、前記動作選択ステップでは前記所定のスライド動作を選択せず、
前記表示手段は、前記動作選択手段により選択された前記スライド動作として、前記インタフェース画面の表示の切り替えを実行することを特徴とする表示制御方法。
【発明の詳細な説明】
【技術分野】
【０００１】
本発明は、情報入力を受け付けるためのインタフェース画面を表示する表示手段と、前記インタフェース画面の表示の切り替えのための操作を受け付ける複数の赤外線スイッチと、を備えるフィールド機器等に関し、特に操作性の高いフィールド機器等に関する。
【背景技術】
【０００２】
図１０は、コリオリ流量計などの従来のフィールド機器のヒューマンマシンインターフェースとして機能する表示器の構成を示す図である。表示器を介してそのフィールド機器に対するパラメータ等の設定を行うことができる。
【０００３】
図１０に示すように、表示器には、ＬＣＤ等による表示部９０と、ガラス面を隔てて操作可能な赤外線スイッチ９１、９２、９３と、が設けられている。赤外線スイッチは、赤外線を照射する発光部と反射物で反射した赤外線を受光する受光部などから構成され、所定位置に指などの反射物が置かれたかどうかを、反射した光量で判別するように構成されている。赤外線スイッチの配置場所の制限、及びコスト低減の観点から、図１０に示すように、所定の数の赤外線スイッチを横一列で配列する構成になっている。そして、表示部９０に表示されたカーソルを移動させる際には、カーソルの右移動を赤外線スイッチ９１への操作、カーソルの上移動を赤外線スイッチ９２と９３の同時押し、カーソルの左移動を赤外線スイッチ９１と９２の同時押し、カーソルの下移動を赤外線スイッチ９３への操作・・・等と取り決めることにより、スイッチによるカーソルの移動を可能にしている。
【先行技術文献】
【特許文献】
【０００４】
【特許文献１】特開２００３−０３７５６３号公報
【特許文献２】特開２００６−２６０３５３号公報
【特許文献３】特開２００８−２３２７０７号公報
【発明の概要】
【発明が解決しようとする課題】
【０００５】
しかし、限られた数しかない赤外線スイッチの状態（オン、オフ）の組み合わせでは、割り当てられる操作パターンの数を多くできない。スイッチの数を増やせば組み合わせの増大により操作パターンは増えるが、スイッチの増加はコストがかかる。さらに、複数のスイッチの同時押しでは、どの組み合わせがどの操作になるか、ユーザーが直観的にはわからないという問題もある。また、同時押しの場合、２本以上の指が必要となるが、操作部分がユーザーの正面にないと操作しづらいという問題がある。また、特に指が太い場合、同時に上手く押せないという問題もある。さらに、同時に押す場合、ユーザーは人差し指と中指を使用することが多い。しかし、人差し指と中指は長さが異なるので、限られたスペースの同一平面上に配置されたスイッチを同時に押しにくい。
【０００６】
本発明の目的は、ヒューマンマシンインターフェースを直観的に、かつ簡易に操作することができる操作性の高いフィールド機器等を提供することにある。
【課題を解決するための手段】
【０００７】
本発明のフィールド機器は、情報入力を受け付けるためのインタフェース画面を表示する表示手段と、前記インタフェース画面の表示の切り替えのための操作を受け付ける複数の赤外線スイッチと、を備えるフィールド機器において、一の赤外線スイッチが操作されてから所定時間以内の所定時刻に他の赤外線スイッチが操作され、かつ前記所定時刻に前記一の赤外線スイッチが操作されていないことを検出する動作解析手段と、前記動作解析手段による検出結果に基づいて、所定のスライド動作を選択する動作選択手段と、を備え、前記動作選択手段は、前記動作解析手段により前記所定時刻に前記一の赤外線スイッチが操作されていないことが検出された場合には、前記所定のスライド動作を選択し、前記動作解析手段により前記所定時刻に前記一の赤外線スイッチが操作されていることが検出された場合には、前記一の赤外線スイッチおよび前記他の赤外線スイッチが同時に操作されている状態と判断し、前記動作選択手段は前記所定のスライド動作を選択せず、前記表示手段は、前記動作選択手段により選択された前記スライド動作として、前記インタフェース画面の表示の切り替えを実行することを特徴とする。
このフィールド機器によれば、スライド操作に応じたスライド動作を選択できるため、スイッチの数が限られる場合でも、より多くの操作が可能となる。また、指一本で複数の操作が可能になり、操作性を向上させることができる。さらに、直観的な操作も可能になる。
【０００８】
前記表示手段は、前記動作解析手段により選択された前記スライド動作として、スライドする動きを含む表示の切り替えを実行してもよい。
【０００９】
前記複数の赤外線スイッチは、同一直線上に配置されてもよい。
【００１０】
前記一の赤外線スイッチに対する操作が終了した後、前記他の赤外線スイッチが操作されたことが前記動作解析手段により検出された場合に限り、前記動作選択手段は前記スライド動作を選択してもよい。
【００１１】
本発明の表示制御方法は、情報入力を受け付けるためのインタフェース画面を表示する表示手段と、前記インタフェース画面の表示の切り替えのための操作を受け付ける複数の赤外線スイッチと、を備えるフィールド機器に対する表示制御方法において、一の赤外線スイッチが操作されてから所定時間以内の所定時刻に他の赤外線スイッチが操作され、かつ前記所定時刻に前記一の赤外線スイッチが操作されていないことを検出する動作解析ステップと、前記動作解析ステップによる検出結果に基づいて、所定のスライド動作を選択する動作選択ステップと、を備え、前記動作選択ステップでは、前記動作解析ステップにより前記所定時刻に前記一の赤外線スイッチが操作されていないことが検出された場合には、前記所定のスライド動作を選択し、前記動作解析ステップにより前記所定時刻に前記一の赤外線スイッチが操作されていることが検出された場合には、前記一の赤外線スイッチおよび前記他の赤外線スイッチが同時に操作されている状態と判断し、前記動作選択ステップでは前記所定のスライド動作を選択せず、前記表示手段は、前記動作選択手段により選択された前記スライド動作として、前記インタフェース画面の表示の切り替えを実行することを特徴とする。
この表示制御方法によれば、スライド操作に応じたスライド動作を選択できるため、スイッチの数が限られる場合でも、より多くの操作が可能となる。また、指一本で複数の操作が可能になり、操作性を向上させることができる。さらに、直観的な操作も可能になる。
【発明の効果】
【００１２】
本発明のフィールド機器によれば、スライド操作に応じたスライド動作を選択できるため、スイッチの数が限られる場合でも、より多くの操作が可能となる。また、指一本で複数の操作が可能になり、操作性を向上させることができる。さらに、直観的な操作も可能になる。
【００１３】
本発明の表示制御方法によれば、スライド操作に応じたスライド動作を選択できるため、スイッチの数が限られる場合でも、より多くの操作が可能となる。また、指一本で複数の操作が可能になり、操作性を向上させることができる。さらに、直観的な操作も可能になる。
【図面の簡単な説明】
【００１４】
【図１】フィールド機器の回路構成例を示すブロック図。
【図２】表示器の外観正面図。
【図３】スライド動作の説明図。
【図４】スライド動作の説明図。
【図５】スライド動作の組み合わせ例を示す表。
【図６】フィールド機器の動作を示すフローチャート。
【図７】他の例のフィールド機器の外観正面図。
【図８】他の例のフィールド機器の要部断面図。
【図９】反射物と赤外線スイッチの距離と、赤外線受光素子の出力電圧との関係を示す図。
【図１０】従来のフィールド機器のヒューマンマシンインターフェースを示す図。
【発明を実施するための形態】
【００１５】
以下、本発明によるフィールド機器の一実施形態について説明する。
【００１６】
図１は、フィールド機器の構成例を示すブロック図、図２は表示器の外観正面図である。図１及び図２では、赤外線スイッチを３つ備えたフィールド機器を例に説明する。
【００１７】
図１に示すように、本実施形態のフィールド機器は、後述する第１スイッチ３１、第２スイッチ３２および第３スイッチ３３（図２）からの信号をそれぞれ受ける第１スイッチ受信部１、第２スイッチ受信部２および第３スイッチ受信部３と、第１スイッチ受信部１、第２スイッチ受信部２および第３スイッチ受信部３からの信号に基づいて、上記スイッチ群に対する操作の状況を解析する動作解析手段４と、動作解析手段４における解析結果に基づいて上記スイッチ群への操作に対応する動作を選択する動作選択手段５と、表示手段３０（図２）における現在の表示情報を保持する表示状態保持部６と、表示手段３０（図２）における表示状態やフィールド機器のパラメータを更新する指示を出力する更新部７と、フィールド機器のパラメータを保持するパラメータ保持部８と、通信による外部からの情報を受け付ける通信受信部９と、を備える。
【００１８】
図２に示すように、フィールド機器には、ヒューマンマシンインターフェースとしての表示器１００が設けられ、表示器１００の中央部にはＬＥＤなどにより構成される表示画面を具備する表示手段３０が配置されている。その表示画面の下方には、赤外線スイッチである第１スイッチ３１、第２スイッチ３２および第３スイッチ３３が横一列に並んで配置されている。第１スイッチ３１乃至第３スイッチ３３は、それぞれ赤外線発光素子（不図示）、赤外線受光素子（不図示）を備えており、赤外線によって指又は手等の反射物１０を検出するとオンする。
【００１９】
次に、本実施形態のフィールド機器の動作について説明する。
【００２０】
使用者が第１スイッチ３１に指又は手等を反射物１０としてかざすと、第１スイッチ３１の赤外線発光素子（不図示）から照射されて表示器１００の透明部材等からなるカバー（不図示）を介して射出されている赤外線が、反射物１０により反射される。そして、第１スイッチ受信部１が備える赤外線受光素子（不図示）が、表示器のカバーを介して戻ってきた反射光を受光する。同様に、使用者が第２スイッチ３２に指等をかざした場合には、第２スイッチ受信部２が備える赤外線受光素子（不図示）が反射光を受光して信号受信する。使用者が第３スイッチ３３に指等をかざした場合には、第３スイッチ受信部３が備える赤外線受光素子（不図示）が反射光を受光する。
【００２１】
各スイッチ受信部１〜３は、赤外線受光素子が受光した反射光の強さに応じた電圧を発生し、当該電圧が所定閾値電圧以上になったときにスイッチが押された（オン）と判断する。なお、後述の説明において、スイッチに触れずに指等をかざすことを、便宜上スイッチを押すと言う。
【００２２】
第１スイッチ３１〜第３スイッチ３３のいずれかのスイッチが押されると、押されたスイッチに対応する第１スイッチ受信部１〜第３スイッチ受信部３が信号を受信する（図１）。
【００２３】
図１に示すように、第１スイッチ受信部１〜第３スイッチ受信部３からの信号は動作解析手段４に送信される。動作解析手段４は各スイッチ３１乃至３３の状態（オン、オフ）、継続時間等のスイッチの動作を解析するスイッチ動作解析部４ａ、及びスイッチに対するスライド操作の有無等を解析するスライド動作解析部４ｂを備える。動作選択手段５は動作解析手段４の解析結果と表示状態保持部６に保持されている現在の表示情報を用いて表示手段３０における表示やパラメータ変更などの動作を選択する。選択された動作に基づいて更新部７が表示手段３０の表示状態を変更したり、パラメータ保持部８に保存されているパラメータを変更する。表示状態の変更は、例えば、測定表示結果の変更、表示の左右移動、上下移動、表示プロセス値の変更、数字の桁移動、数字のインクリメント、数字のデクリメント等である。
【００２４】
また、更新部７は、通信受信部９より外部から受信した情報に基づいて表示手段３０の表示状態を変更し、あるいは、パラメータ保持部８に保存されているパラメータを変更する。
【００２５】
図３及び図４は、スライド動作を説明する図である。本実施形態のフィールド機器では、第１スイッチ３１〜第３スイッチ３３に対するスライド操作を検出した場合に、そのスライド操作に対応するスライド動作を実行する。各スイッチ３１〜３３の何れかのスイッチを押した後、所定時間（例えば、１００msec）以内に他のスイッチを押した場合、動作解析手段４はスライド操作と認識する。スライド操作が認識されると、表示手段３０の画面表示において、例えば、カーソルのスライドや、表示状態の履歴に従った表示画面の切り替えなどの表示状態の変更が行われる。
【００２６】
図３（Ａ）は第２スイッチ３２が押されてから所定時間以内に第１スイッチ３１が押された場合の例であり、図３（Ｂ）は、その後の表示手段３０の表示状態変更後の表示例である。具体的に、「Basic Setup」とその下位階層の「Tag」、「Long Tag」、「Display config」が表示されている状態から（図３（Ａ））、「Basic Setup」の上位階層の表示（図３（Ｂ））へ変更された例である。変更後は、「Basic Setup」の上位階層である「Main Menu」と「Main Menu」の下位階層の「Basic Setup」、「Detailed Setup」 、「Review device info」が表示される。使用者は、反射物１０である指等を第２スイッチ３２の前面から第１スイッチ３１の前面に指を移動させるスライド操作を行うだけで、表示状態を切り替えることができる。また、スライド操作の方向と同一方向にカーソルを移動させるような表示の切り替えを行なっているため、スライド操作と画面表示の展開との関係を容易に把握することができる。
【００２７】
図４（Ａ）は具体的に、第２スイッチ３２が押されてから所定時間以内に第３スイッチ３３が押された場合の例であり、図４（Ｂ）は、その後の表示手段３０の表示状態変更後の表示例である。「DEN」（密度）の値が表示されている状態から（図４（Ａ））、「DEN」（密度）の右に表示されるように設定されている「TMP」（温度）に変更された例である（図４（Ｂ））。使用者は、反射物１０である指等を第２スイッチ３２の前面から第３スイッチ３３の前面に移動させるスライド操作を行うだけで、表示状態を切り替えることができる。この場合にも、スライド操作の方向と同一方向にカーソルをスライドさせるような表示の切り替えを行なっているため、スライド操作と画面表示の展開との関係を容易に把握することができる。なお、スライド操作の方向と逆方向にカーソルを移動させるような表示の切り替えを行なうようにしてもよい。例えば、紙をめくる感じで、反射物１０である指等を右にスライドさせたら、カーソルを左に移動させてもよい。
【００２８】
図５はスライド動作の組み合わせ例を示す表である。
【００２９】
動作解析手段４は、各スイッチ３１〜３３のオン・オフ状態とその継続時間を解析し、動作選択手段５が押された順番に基づいてスライド動作を選択する。押された順番に対し各スライド動作が対応付けられている。図５に示す例では、第１スイッチ３１が１番目に押され、第２スイッチ３２が２番目に押され、第３スイッチ３３が３番目に押された場合、動作選択手段５はスライド動作Ａを選択する。更新部７はスライド動作Ａに対応する表示手段３０を更新し、又は、パラメータ保持部８に保存されているパラメータを変更する。
【００３０】
例えば、横一列に並べられたスイッチ３１〜３３を一番右のスイッチである第３スイッチ３３から、第２スイッチ３２、第１スイッチ３１の順で押す場合を、表示手段３０の表示を前の表示状態に戻すというスライド動作Ｄに対応付ければ、より直観的な操作が可能になる。表示手段３０の表示を前の表示状態に戻す動作は、表示状態の履歴に基づいて実行できる。
【００３１】
図６は、フィールド機器の動作を示すフローチャートである。以下、図６に沿って動作の詳細を説明する。
【００３２】
動作解析手段４のスイッチ動作解析部４ａは、スイッチ３１〜３３の何れかのスイッチが押されたか否かを判定する（ステップＳ１）。ステップＳ１の判定の結果、スイッチが押されていない場合には（ステップＳ１：Ｎ）、ステップＳ１へ戻る。
【００３３】
ステップＳ１の判定の結果、スイッチが押された場合には（ステップＳ１：Ｙ）、動作解析手段４のスライド動作解析部４ｂは、所定時間以内に他のスイッチが押されたか否かを判定する（ステップＳ２）。他のスイッチとは、ステップＳ１で押されたスイッチ以外のスイッチである。例えば、ステップＳ１で第１スイッチ３１が押された場合には、所定時間以内に第２スイッチ３２又は第３スイッチ３３が押されたか否かを判定する。
【００３４】
ステップＳ２の判定の結果、所定時間以内に他のスイッチが押されてない場合には（ステップＳ２：Ｎ）、動作選択手段５はステップＳ１で押されたスイッチに対応する動作を選択し（ステップＳ３）、ステップＳ１に移行する。
【００３５】
ステップＳ２の判定の結果、所定時間以内に他のスイッチが押された場合には（ステップＳ２：Ｙ）、スライド動作解析部４ｂは、所定時間以内に他のスイッチが押されたか否かを判定する（ステップＳ４）。他のスイッチとは、ステップＳ１及びステップＳ２で押されたスイッチ以外のスイッチである。例えば、ステップＳ１で第１スイッチ３１が押され、かつ、ステップＳ２で第２スイッチ３２が押された場合には、所定時間以内に第３スイッチ３３が押されたか否かを判定する。また、他のスイッチは、ステップＳ２で押されたスイッチ以外のスイッチであってもよい。例えば、ステップＳ１で第１スイッチ３１が押され、かつ、ステップＳ２で第２スイッチ３２が押された場合には、所定時間以内に第１スイッチ３１又は第３スイッチ３３が押されたか否かを判定する。
【００３６】
ステップＳ４の判定の結果、所定時間以内に他のスイッチが押されてない場合には（ステップＳ４：Ｎ）、動作選択手段５は、対応するスライド動作を選択し（ステップＳ５）、ステップＳ１に戻る。例えば、ステップＳ１で第１スイッチ３１が押され、かつ、ステップＳ２で第２スイッチ３２が押された場合には、第１スイッチ３１が１番目に押され、第２スイッチ３２が２番目に押された場合のスライド動作Ｂが選択される（図５）。この場合には、例えば、図３あるいは図４に相当する表示の切り替えが実行される。
【００３７】
ステップＳ４の判定の結果、所定時間以内に他のスイッチが押された場合には（ステップＳ４：Ｙ）、動作選択手段５は、対応するスライド動作を選択し（ステップＳ６）、ステップＳ１に戻る。例えば、ステップＳ１で第１スイッチ３１が押され、かつ、ステップＳ２で第２スイッチ３２が押され、ステップＳ４で第３スイッチ３３が押されたた場合には、第１スイッチ３１が１番目に押され、第２スイッチ３２が２番目に押され、第３スイッチ３３が３番目に押された場合のスライド動作Ａが選択される（図５）。
【００３８】
なお、ステップＳ２、ステップＳ４の判断に際して、スイッチ動作解析部４ａは直前に押されていたスイッチが離されたか（オフとされたか）否かを判定するよう構成することもできる。そして、動作選択手段５は、直前に押されたスイッチがオフとなったことが確認された場合に限り、ステップＳ２、ステップＳ４の判断を肯定してもよい。例えば、ステップＳ１で第１スイッチ３１が押され、かつ、ステップＳ２で所定時間以内に第２スイッチ３２が押されていることが認められる場合であっても、ステップＳ２の判断の時点で第１スイッチ３１と第２のスイッチ３２が同時に押されている場合を排除することにより、スライド操作と２つのスイッチの同時押しを確実に区別できる。
【００３９】
以上のように、本実施形態のフィールド機器では、一のスイッチ３１〜３３がオンとされたことを判定してから、所定時間以内に他のスイッチ３１〜３３がオンとされたか否かを判定する動作解析手段４と、動作解析手段４が一のスイッチ３１〜３３がオンとされたことを判定してから、所定時間以内に他のスイッチ３１乃至３３がオンとされたことを判定すると、所定のスライド動作を選択する動作選択手段５とを備えている。このため、スイッチの数が限られる場合でも、より多くの操作が可能となる。また、指一本で複数の操作が可能になり、操作性を向上させることができる。さらに、直観的な操作も可能になる。
【００４０】
なお、本実施形態では、スイッチ３１〜３３を全てスライド動作に使用したが、特定のスイッチのみを使用するよう構成することもできる。また、スライド動作は特定のスイッチから始まるよう構成することもできる。例えば、スライド動作は必ず第２スイッチ３１から始まると限定することにより、スライド操作の誤検出を防ぐことができる。
【００４１】
なお、本実施形態では、スイッチ３１〜３３を横一列に配列させたが、スイッチの配列は任意である。横一列に限らず、上下左右、縦一列に配列してもよい。
【００４２】
図７は、他の例のフィールド機器の外観正面図である。
【００４３】
図７（Ａ）の表示器２００では、表示手段４０の表示画面が表示器２００の正面に備えられている。そして、第１スイッチ４１、第２スイッチ４２及び第３スイッチ４３が表示画面の下部に備えられている。その他の構成は本実施形態のフィールド機器１００と同様である。このように、スイッチを上下左右に配置することにより、横方向と縦方向に指を動かすことができるようになり、両方向に対して直観的な操作を行うことができる。
【００４４】
また、一つのスイッチを押したまま、他のスイッチによるスライド動作を識別できるよう構成し、操作パターンを増やすこともできる。例えば、第１のスイッチ４１を押したまま、第２のスイッチおよび第３のスイッチが順次、オンするようにスライド操作する操作パターンを設けることができる。この場合、上記操作パターンは、第１のスイッチ４１を押さずに第２のスイッチおよび第３のスイッチのみを順次、オンさせるようなスライド操作と区別することが可能となるため、操作パターンを増加させることができる。
【００４５】
図７（Ｂ）の表示器３００では、表示手段５０の表示画面が表示器３００の正面に備えられている。そして、第１スイッチ５１、第２スイッチ５２、・・・、第９スイッチ５９が表示画面の下部に備えられている。その他の構成は表示器１００と同様である。
【００４６】
このように、スイッチを格子状に配列することにより、縦横に限らず斜め方向に指を動かすスライド操作ができるようになり、より直観的な操作を行うことができる。さらに、図７（Ｂ）に示すようにポインタ６０を用いた操作ができるように構成してもよい。例えば、スイッチ動作又はスライド動作でポインタ６０を右向き矢印マーク６１又は左向き矢印マーク６２上に移動させて、スイッチ動作又はスライド動作でポインタ６０をクリック操作することで、右向き矢印マーク６１又は左向き矢印マーク６２に対応付けられた動作モードが選択されるように構成することもできる。この場合、より柔軟な操作ができるようになる。
【００４７】
図８は、高さ方向のスライド操作を識別するように構成されたフィールド機器の要部断面図である。
【００４８】
図８に示す表示器４００では、表示手段７０の表示画面が表示器４００の上方から視認できる位置に設けられており、赤外線スイッチが表示画面の下部に配置されている。使用者が、赤外線スイッチに、指又は手等を反射物１０としてかざすことにより、赤外線発光素子からなる赤外線発光部７１から発光された赤外線が反射物１０に反射して、赤外線受光素子からなる赤外線受光部７２が反射光を受光して信号受信する。赤外線は透明部材からなるカバー７３を介して反射物１０に反射する。このとき、反射物１０と赤外線スイッチの距離に応じて、赤外線受光部７２が受光する反射光の光量が変化する。
【００４９】
図９は、反射物１０と赤外線スイッチの距離と、赤外線受光部７２の出力電圧との関係を示すグラフを示している。赤外線受光部７２の出力電圧は、赤外線受光素子が受光した反射光の強さに応じて変化する。図９に示すように、反射物１０が表示器４００の表面から離れるにつれて、赤外線受光部７２の出力電圧が下がる。例えば、赤外線受光部７２の出力電圧が、閾値Ｔ１以下になってから所定時間（例えば、１００msec）以内に、閾値Ｔ２以下になった場合、又は、閾値Ｔ３以上閾値Ｔ２以下になった場合に、反射物１０が徐々に離れる方向へ移動していると判定する。このように、反射物１０と表示器４００との距離を高さ方向のスライド動作として判定し、対応するスライド動作を選択することもできる。このような方法を、図１〜図８に示した構成と適宜、組み合わせることにより、操作パターンを増やすことができる。
【００５０】
上記各実施形態では、スライド動作の例として、表示手段３０の表示画面における表示状態の変更動作について説明したが、数字、文字を選択し、入力するような動作をスライド動作としてもよい。この場合には、例えば、赤外線スイッチ群に対するスライド操作を行うことで、数字や文字の入力等を行うことができる。なお、複数の赤外線スイッチは、インタフェース画面の表示の切り替えのための操作を受け付ける用途以外にも、他の用途を兼用させてもよい。
【００５１】
本発明の適用範囲は上記実施形態に限定されることはない。本発明は、情報入力を受け付けるためのインタフェース画面を表示する表示手段と、前記インタフェース画面の表示の切り替えのための操作を受け付ける複数の赤外線スイッチと、を備えるフィールド機器に広く適用される。
【符号の説明】
【００５２】
４  動作解析手段
５  動作選択手段
３１  第１スイッチ（赤外線スイッチ）
３２  第２スイッチ（赤外線スイッチ）
３３  第３スイッチ（赤外線スイッチ）
【図１】
0005783364.tif 000002
【図２】
0005783364.tif 000003
【図３】
0005783364.tif 000004
【図４】
0005783364.tif 000005
【図５】
0005783364.tif 000006
【図６】
0005783364.tif 000007
【図７】
0005783364.tif 000008
【図８】
0005783364.tif 000009
【図９】
0005783364.tif 000010
【図１０】
0005783364.tif 000011